(57)【特許請求の範囲】
【請求項１】
底部にインバートコンクリートが設置され、該インバートコンクリートの上面に流路となる溝部を備え、周壁には前記インバ−トコンクリ−トの溝部と連続配置に通水路用管体がマンホ−ル周壁に対して移動可能に連結されてなる耐震構造型マンホールにおいて、
前記インバ−トコンクリ−トと管体端面との間に、脆性材をもって形成され内部が空洞の衝撃吸収部材を介在させたことを特徴としてなる耐震構造型マンホール。
【請求項２】
前記水路用管体は、前記マンホ−ル周壁に可撓性継手を介して取付けてなる請求項１に記載の耐震構造型マンホール。
【請求項３】
前記衝撃吸収部材は、インバートコンクリートの溝部の端部内面に形成した衝撃吸収部材収容溝内に嵌め込まれている請求項１若しくは２に記載の耐震構造型マンホール。
【発明の詳細な説明】
【技術分野】
【０００１】
本発明は、主として下水道に設置され、通水路用管体との連結部分を耐震構造とした耐震構造型マンホールに関する。
【背景技術】
【０００２】
従来、下水道等の管渠等に古くから設置されているマンホールは、管渠となる通水路用管体との連結部分がコンクリートによって固められた剛結合構造となっていたが、近年において、地震による管渠破損の教訓から、耐震性のマンホールが開発されている。
【０００３】
この種の従来の耐震構造型マンホールは、例えば、図５〜図７に示すように、プレキャストコンクリ−ト製の上部ブロック１、中間ブロック２及び底部ブロック３を筒状に積み重ねて構成している。底部ブロック３は、円盤状の底盤部３ａとその底盤部３ａの外縁部から垂直に立ち上がった周壁３ｂとを備え、その周壁３ｂには通水路用管体４が挿入される管体挿入孔５が、通水路用管体４の外径及び設置される場所の管渠の構造等に対応して開口され、内側底部には現場打ちのインバ−トコンクリ−ト６が打設されている。
【０００４】
インバ−トコンクリ−ト６の上面には流路となる溝部６ａ（インバ−ト）が、通水路用管体４が挿入された際に通水路用管体４と溝部６ａとが連続配置となるように形成されている。
【０００５】
管体挿入孔５の内面と通水路用管体４とは、ゴム状の弾性を有する可撓性継手７を介して連結され、これによって周壁３ｂと通水路用管体４との結合部分に生じる伸縮及び曲げが、その可撓性継手７によって吸収させる構造としている。
【発明の開示】
【発明が解決しようとする課題】
【０００６】
しかし、このような従来の耐震構造型マンホールにおいては、通水路用管体がマンホ−ルから抜出る方向、及び曲げ方向の相対動作のみが考慮され、通水路用管体がマンホ−ル側へ押し込まれる場合については考慮されていなかった。
【０００７】
このため地震時に通水路用管体がマンホ−ル側に押し込まれた場合、インバ−トコンクリ−トと通水路用管体の接続部分が破壊されるか、又は通水路用管体の端部がインバ−トコンクリ−ト上に乗り上げることとなり、流下機能が著しく阻害されるという問題があった。
【０００８】
本発明は、このような従来の問題に鑑み、地震時に通水路用管体が如何なる方向に移動した場合にもこれを弾性的に吸収し、破損を防止することができる耐震構造型マンホールの提供を目的としたものである。
【課題を解決するための手段】
【０００９】
上述の如き従来の問題を解決し、所期の目的を達成するための本発明の特徴は、底部にインバートコンクリートが設置され、該インバートコンクリートの上面に流路となる溝部を備え、周壁には前記インバ−トコンクリ−トの溝部と連続配置に通水路用管体がマンホ−ル周壁に対して移動可能に連結されてなる耐震構造型マンホールにおいて、前記インバ−トコンクリ−トと管体端面との間に、脆性材をもって形成され内部が空洞の衝撃吸収部材を介在させたことにある。
【００１０】
尚、通水路用管体をマンホ−ル周壁に可撓性継手を介して取付けること、衝撃吸収部材は、インバートコンクリートの溝部の端部内面に形成した衝撃吸収部材収容溝内に嵌め込まれていることが好ましい。
【発明の効果】
【００１１】
上述のように、本発明に係る耐震構造型マンホールにおいては、通水路用管体の端面とインバ−トコンクリ−トとの間に衝撃吸収部材を介在させ、通水路用管体とマンホ−ルとを可撓性継手を介して連結させたことにより、通水路用管体がマンホ−ルに対して引き抜かれた場合のみならず、マンホ−ル側に押し込まれた場合にも、可撓性継手及び衝撃吸収部材が衝撃を吸収し、インバ−トコンクリ−ト及び通水路用管体の破損、及び、通水路用管体の端部がインバ−トコンクリ−トの溝部に乗り上げること等の変動が防止され、流下機能が阻害されない。
【００１２】
また、衝撃吸収部材をインバートコンクリートの溝部の端部内面に形成した衝撃吸収部材収容溝内に嵌め込むようにすることにより、最終工程で施工されるインバートコンクリートの形状をこれに対応した形状とすることのみで容易に施工でき、且つ、衝撃吸収部材の交換が容易となり、更に、既設のマンホールに対しても容易に施工することができる。
【００１３】
また、衝撃吸収部材を、脆性材をもって形成し、内部を空洞とすることにより、通水路用管体の強度より弱くし、該管体が破損する前に衝撃吸収部材が破損する構造とすることが、設計上容易となる。
【発明を実施するための最良の形態】
【００１４】
次に本発明の実施の形態を図面について説明する。
【００１５】
図１〜図４は本発明の第１実施形態を示している。尚、前述した従来例と同じ部分については同一の符号を付して説明する。
【００１６】
図において、Ａは地中に埋設された耐震構造型マンホールであり、１はマンホ−ル本体を構成する上部コンクリートブロック、２は中間コンクリートブロック、３は底部ブロック、４はマンホールＡの周壁を構成する底部ブロック３の周壁３ｂに連結された通水路用管体、６はマンホールＡの内側底部に設置されたインバートコンクリート、７はマンホール周壁３ｂと通水路用管体４とを連結する可撓性継手、８は通水路用管体４の端部前面とインバートコンクリート６との間に介在する衝撃吸収部材である。
【００１７】
このマンホールＡは、前述した従来例と同様、底部ブロック３は円盤状の底盤部３ａとその底盤部３ａの外周縁部から垂直に立ち上がった周壁３ｂとを有し、周壁３ｂには通水路用管体４が挿入される管体挿入孔５が通水路用管体４の外径より稍大きく開口され、マンホールＡの内側底部には、インバ−トコンクリ−ト６が現場打ちにより設置されている。
【００１８】
インバートコンクリート６には、その上面に、流路となる溝部６ａが通水路用管体４と連続配置となるように形成され、溝部６ａの管体端部前面に、衝撃吸収部材８が収容される衝撃吸収部材収容溝９が形成されている。
【００１９】
衝撃吸収部材８は、図３〜図４に示すように、円弧状をした正面部１０ａおよび背面部１０ｂと、円弧状の外側面を成形する外周面部１１と、円弧状の内側面を成形する内周面部１２と、円弧状の両端部の端面部１３，１３とが硬質プラスチック等の脆性材により一体に形成され、各部に囲まれる部分が空洞部１４となり、その円弧状の内周径は溝部の流路径と同径に、外周径は通水路用管体４の外径より稍大きく形成されている。
【００２０】
衝撃吸収部材収容溝９は、衝撃吸収部材８の内周面部１１が溝部６ａと連続配置となる位置に、前記衝撃吸収部材８の外周面部１０が下向きに嵌り合う形状に形成され、管体側に向かって開口されている。
【００２１】
通水路用管体４は、円筒状に形成され、マンホールＡに挿入される側の端部はマンホールＡの周壁内周面に沿ってはつり取られている。
【００２２】
可撓性継手７は、テーパ筒状のゴムソケット１５、拡張バンド１６及び締付けバンド１７，１７...から構成され、ゴムソケット１５の一方の端部が拡張バンド１６により管体挿入孔５の内面に押圧し固定され、他方の端部が締付けバンド１７，１７...により通水路用管体の外周面を締付け固定されて通水路用管体４をマンホ−ル周壁３ａに対して、移動可能に連結し、且つ止水性も確保している。
【００２３】
このような耐震構造型マンホールの施工は、まず、各管体収容孔５に可撓性継手７をとりつけたマンホールＡを設置し、現場打ちでインバートコンクリート６を形成する。そして、インバートコンクリート６の上面に形成された衝撃吸収部材収容溝９に衝撃吸収部材８をその背面部１０ｂ、外周面部１１をインバートコンクリート６に当接させて収容する。ここで、通水路用管体４を可撓性継手７の一方から挿入し、衝撃吸収部材８の正面部１０ａに通水路用管体４の端面を当接させる。そして、衝撃吸収部材８と通水路用管体４の端面との間の隙間部分をモルタル等の充填材１８で埋めることで、溝部６ａと通水路用管体４と衝撃吸収部材８とが連続して配置されるようになっている。
【００２４】
また、既設の耐震構造型マンホールについて実施する場合には、マンホールＡ内において、衝撃吸収部材８を設置するのに必要な衝撃吸収部材収容溝９を確保するために通水路用管体４の端部前面のインバ−トコンクリ−ト６を衝撃吸収部材の形状に合せてはつり取って、溝部６ａの端部内面に衝撃吸収部材収容溝９を形成し、その溝９内に衝撃吸収部材８を設置し、更に、通水路用管体４の端面と衝撃吸収部材８との間にできた隙間をモルタル等の充填材１８で埋めることにより設置する。
【００２５】
尚、上述の各実施形態では、マンホールＡの周壁と通水路用管体４との接合部分にテーパ筒状のゴムソケットを用いた可撓性継手を介在させたものを示しているが、管体挿入孔５と通水路用管体４との隙間に弾性シーリング材等を充填し、可撓性を持たせてもよい。
【図面の簡単な説明】
【００２６】
【図１】本発明に係る耐震構造型マンホールの一例の通水路用管体連結状態を示す縦断面図である。
【図２】図１中のＡ−Ａ線断面図である。
【図３】（Ａ）は、図１に示す耐震構造型マンホールに使用している衝撃吸収部材の形状を示す平面図、（Ｂ）は同正面図である。
【図４】図３中のＢ−Ｂ線断面図である。
【図５】従来の耐震構造型マンホールの一例を示す縦断面図である。
【図６】図６中のＣ−Ｃ線断面図である。
【図７】同Ｄ−Ｄ線断面図である。
【符号の説明】
【００２７】
Ａ 耐震構造型マンホール
１ 上部ブロック
２ 中間ブロック
３ 底部ブロック
４ 通水路用管体
５ 管体挿入孔
６ インバートコンクリート
６ａ 溝部
７ 可撓性継手
８ 衝撃吸収部材
９ 衝撃吸収部材収容溝
１０ａ 正面部
１０ｂ 背面部
１１ 外周面部
１２ 内周面部
１３ 端面部
１４ 空洞部
１５ ゴムソケット
１６ 拡張バンド
１７ 締付けバンド
１８ 充填材
【図１】
0004941867.tif 000002
【図２】
0004941867.tif 000003
【図３】
0004941867.tif 000004
【図４】
0004941867.tif 000005
【図５】
0004941867.tif 000006
【図６】
0004941867.tif 000007
【図７】
0004941867.tif 000008